(57)【特許請求の範囲】
【請求項１】
機器の使用を検知する使用検知手段と、
前記使用検知手段からの信号により待機電力モードと通常電力モードの切替指示を出力するＣＰＵと、
少なくとも前記ＣＰＵに電力を供給する電源と、
前記電源からの電力を蓄えるコンデンサと、
前記電源の２次側負荷に流れる電流を検知する電流検知手段と、を備え、
前記ＣＰＵは、前記待機電力モードへの切換指示により、前記電源の２次側負荷への通電を負荷通電遮断用素子により遮断するとともに、前記ＣＰＵ自体を待機電力モードに移行し、電源制御ＩＣが前記電源の間欠駆動停止を繰り返す制御を行い、
前記使用検知手段からの信号により前記ＣＰＵが、前記待機電力モードから前記通常電力モードへの切替指示を行う切替信号を前記電源に出力した後、予め設定された遅延時間だけ遅らせて前記負荷通電遮断用素子へ通電するとともに、前記電流検知手段の検知電流によって前記遅延時間が自動調整されることを特徴とする電力制御装置。
【請求項２】
前記遅延時間の初期値は、前記電源が間欠駆動停止を繰り返す状態から連続通電状態になった後に、前記コンデンサに電力が蓄えられて安定した状態になる長い遅延時間が設定されており、
前記ＣＰＵが、初回の前記待機電力モードから前記通常電力モードへの切替指示を行う切替信号を前記電源に出力した後、前記予め設定された遅延時間だけ遅らせて前記負荷通電遮断用素子へ通電された際の前記電流検知手段の検知電流に応じて、次回以降の前記待機電力モードから前記通常電力モードへの切替時の前記遅延時間が、初期値よりも短い遅延時間に自動調整される請求項１に記載の電力制御装置。
【請求項３】
前記遅延時間の自動調整は、前記負荷通電遮断用素子へ通電された直後の突入電流が経過した後の前記電流検知手段の検知電流によって行う請求項２に記載の電力制御装置。
【請求項４】
前記ＣＰＵは、ＣＰＵリセットに至らない上限値が設定されており、前記電流検知手段の検知電流が前記上限値に達すると前記負荷通電遮断用素子への通電を一時遮断する請求項１〜３のいずれか１項に記載の電力制御装置。
【請求項５】
請求項１〜４のいずれか１項に記載の電力制御装置を備えた機器。
【発明の詳細な説明】
【技術分野】
【０００１】
本発明は、機器を使用していないときの待機時消費電力を低減させた電力制御装置およびそれを備えた機器に関するものである。
【背景技術】
【０００２】
近年のエネルギー事情および電力事情から、機器における省エネルギーの重要性が年々高くなっている。特に、機器を使用していないときの待機時消費電力（以下、「待機電力」と記す）を、限りなくゼロに近づけることが要望されている。
【０００３】
従来、この種の電力制御装置として、例えば機器であるトイレ装置を使用していないときの電源部で消費する電力を低減して、待機電力を削減する電力制御装置を備えたトイレ装置が提案されている。（例えば、特許文献１参照）。
【０００４】
特許文献１に記載のトイレ装置の電力制御装置は、人体検出部と、機能部と、制御部と、第一電源部と、第二電源部と、電力制御素子と、を備えている。人体検出部は、トイレ内の人体の有無を検出する。機能部は、トイレ内の環境を整備する。制御部は、人体検出部と機能部を駆動する。第一電源部は、人体検出部と制御部に直流電源を供給する。第二電源部は、商用電源を直流電源に変換して機能部に直流電源を供給する。電力制御素子は、第二電源部の前段に位置し、商用電源から第二電源部への通電を制御する。
【０００５】
そして、トイレ装置の電力制御装置の制御部は、人体検出部の検知結果に応じて電力制御素子を駆動し、第二電源部への商用電源の供給を制御する。これにより、トイレ内に使用者が存在しない場合、トイレ装置は消費電力の小さい電源部のみ動作させて、トイレ装置が使用されていない状態での待機電力を小さくする。また、トイレ装置を使用する場合、使用者の操作意思によることなくトイレ内にトイレ使用者がいるだけで自動的に全ての機能を動作可能な状態にする。その結果、使い勝手の良いトイレ装置を実現している。
【０００６】
つまり、従来のトイレ装置の電力制御装置の構成は、機器であるトイレ装置が使用されていない場合、制御部は電力制御素子をオフして、商用電源から第二電源部への通電をオフしている。これにより、商用電源から電源部自身が消費する電力を、第一電源部が消費する電力だけにしている。
【先行技術文献】
【特許文献】
【０００７】
【特許文献１】特開２００２−１４６８７８号公報
【発明の概要】
【発明が解決しようとする課題】
【０００８】
しかしながら、前記従来の構成では、第一電源部が消費する待機電力として、０．５Ｗ程度の消費が必要である。
【０００９】
すなわち、従来のトイレ装置の電力制御装置の構成は、機器が使用されていない場合、大きな電力負荷である機能部などへ電力を供給する第二電源部（Ａ電源）をオフする。そして、操作部の操作信号や人体検出部の検知信号および各種温度検出部の温度検出信号を処理する。つまり、各種ヒータやモータおよびＬＥＤなどの各負荷の駆動を指示する小さな電力負荷のマイコンなどへ電力を供給する第一電源部（Ｂ電源）だけ、オン状態とする構成である。これにより、待機状態時に、マイクロコンピュータ（以下、「ＣＰＵ」と記
す）が通常動作より低い消費電力となる低速動作をさせて低消費電力モードを実現しているが、第一電源部が消費する待機電力として、０．５Ｗ程度の消費が必要である。
【００１０】
そこで、機器が使用されていない場合に、ＣＰＵが、電源に通常電力モードから待機電力モードへ切り替える信号を出し、電源内の電源制御素子（電源制御ＩＣ）が前記電源の間欠駆動停止を繰り返す制御を行うことで、待機電力をさらに微小な低電力にする構成を考えるに至った。しかし、この構成において、微小な低消費電力である待機電力モードから通常電力モードに切り替わる際、前記電源制御ＩＣによって前記電源を、間欠駆動停止を繰り返す制御から連続駆動する制御に移行するが、これと同時に電源の２次側負荷へ通電する動作が行われると、通電される負荷電流によって、電源の出力電圧が低下して、電源から供給されているＣＰＵの電圧が低下してＣＰＵがリセットされる不具合を生じる課題がある。
【００１１】
本発明は、前記従来の課題を解決するもので、機器を使用していないときの待機電力を微小にできるとともに、微小な低消費電力である待機電力モードから通常電力モードに切り替わる際、安定して動作させることができる電力制御装置およびそれを備えた機器を提供することを目的とする。
【課題を解決するための手段】
【００１２】
前記従来の課題を解決するために、本発明の電力制御装置は、
機器の使用を検知する使用検知手段と、
前記使用検知手段からの信号により待機電力モードと通常電力モードの切換指示を出力するＣＰＵと、少なくとも前記ＣＰＵに電力を供給する電源と、前記電源からの電力を蓄えるコンデンサと、前記電源の２次側負荷に流れる電流を検知する電流検知手段と、を備え、前記ＣＰＵは、前記待機電力モードへの切換指示により、前記電源の２次側負荷への通電を負荷通電遮断用素子により遮断するとともに、前記ＣＰＵ自体を待機電力モードに移行し、電源制御ＩＣが前記電源の間欠駆動停止を繰り返す制御を行い、
前記使用検知手段からの信号により前記ＣＰＵが、前記待機電力モードから前記通常電力モードへの切替指示を行う切替信号を前記電源に出力した後、予め設定された遅延時間だけ遅らせて前記負荷通電遮断用素子へ通電するとともに、前記電流検知手段の検知電流によって前記遅延時間が自動調整される構成であることを特徴とするものである。
【００１３】
これによって、使用検知手段からの信号によりＣＰＵが通常電力モードから待機電力モードへ移行させる条件になると、ＣＰＵは、待機電力モードへの切替指示により、電源の２次側負荷への通電を負荷通電遮断用素子により遮断するとともに、ＣＰＵ自体を待機電力モードに移行し、電源制御ＩＣが電源の間欠駆動停止を繰り返す制御を行い、待機電力を微小にできる。
【００１４】
そして、使用検知手段からの信号により、待機電力モードから通常電力モードに切り替わる際、ＣＰＵが、待機電力モードから通常電力モードへの切換指示を行う切替信号を電源制御ＩＣに出力した後、予め設定された遅延時間だけ遅らせて負荷通電遮断用素子へ通電することによって、電源が間欠駆動停止を繰り返す状態から連続通電状態になった後に安定した状態になってから、電源の２次側の負荷へ通電する動作が行われるため、通電される負荷電流によって、電源の出力電圧が低下して、電源から供給されているＣＰＵの電圧が低下してＣＰＵがリセットされることがなく、安定して動作させることができる。
【００１５】
このように、機器を使用していないときの待機電力を微小にできるとともに、微小な低消費電力である待機電力モードから通常電力モードに切り替わる際、安定して動作させることができる電力制御装置およびそれを備えた機器を提供することができる。
【発明の効果】
【００１６】
本発明の電力制御装置およびそれを備えた機器は、機器を使用していないときの待機電力を微小にできるとともに、微小な低消費電力である待機電力モードから通常電力モードに切り替わる際、安定して動作させることができる電力制御装置およびそれを備えた機器を提供することができる。
【図面の簡単な説明】
【００１７】
【図１】本発明の実施の形態における電力制御装置およびそれを備えた機器である衛生洗浄装置の外観を示す斜視図
【図２】本発明の実施の形態における衛生洗浄装置の制御系のブロック図
【図３】本発明の実施の形態におけるリモートコントローラの外観を示す斜視図
【図４】本発明の実施の形態におけるリモートコントローラのフロントパネルを開放した状態の正面図
【図５】図３に示す５−５線断面図
【図６】本発明の実施の形態における電力制御装置を例示するブロック図
【図７】本発明の実施の形態における電力制御装置の要部を示すブロック図
【図８】図７のブロック図における待機電力モードから通常電力モードに切り替わる動作を例示するタイミングチャート図
【図９】図７のブロック図における待機電力モードから通常電力モードに切り替わる動作を例示するタイミングチャート図
【図１０】図７のブロック図における待機電力モードから通常電力モードに切り替わる動作を例示するタイミングチャート図
【発明を実施するための形態】
【００１８】
第１の発明は、機器の使用を検知する使用検知手段と、前記使用検知手段からの信号により待機電力モードと通常電力モードの切替指示を出力するＣＰＵと、少なくとも前記ＣＰＵに電力を供給する電源と前記電源からの電力を蓄えるコンデンサと、前記電源の２次側負荷に流れる電流を検知する電流検知手段と、を備え、前記ＣＰＵは、前記待機電力モードへの切換指示により、前記電源の２次側負荷への通電を負荷通電遮断用素子により遮断するとともに、前記ＣＰＵ自体を待機電力モードに移行し、電源制御ＩＣが前記電源の間欠駆動停止を繰り返す制御を行い、前記使用検知手段からの信号により前記ＣＰＵが、前記待機電力モードから前記通常電力モードへの切替指示を行う切替信号を前記電源に出力した後、予め設定された遅延時間だけ遅らせて前記負荷通電遮断用素子へ通電するとともに、前記電流検知手段の検知電流によって前記遅延時間が自動調整される構成であることを特徴とするものである。
【００１９】
これによって、使用検知手段からの信号によりＣＰＵが通常電力モードから待機電力モードへ移行させる条件になると、ＣＰＵは、待機電力モードへの切換指示により、電源の２次側負荷への通電を負荷通電遮断用素子により遮断するとともに、ＣＰＵ自体を待機電力モードに移行し、電源制御ＩＣが電源の間欠駆動停止を繰り返す制御を行い、待機電力を微小にできる。
【００２０】
そして、使用検知手段からの信号により、待機電力モードから通常電力モードに切り替わる際、ＣＰＵが、待機電力モードから通常電力モードへの切替指示を行う切替信号を電源制御ＩＣに出力した後、予め設定された遅延時間だけ遅らせて負荷通電遮断用素子へ通電するとともに、前記電流検知手段の検知電流によって前記遅延時間が自動調整されることによって、電源が間欠駆動停止を繰り返す状態から連続通電状態になった後に安定した状態になってから、２次側負荷へ通電する動作が行われるため、通電される負荷電流によって、電源の出力電圧が低下して、電源から供給されているＣＰＵの電圧が低下してＣＰＵがリセットされることがなく、安定して動作させることができる。
【００２１】
第２の発明は、特に、第１の発明の遅延時間の初期値は、前記電源が間欠駆動停止を繰り返す状態から連続通電状態になった後に、前記コンデンサに電力が蓄えられて安定した状態になる長い遅延時間が設定されており、前記ＣＰＵが、初回の前記待機電力モードから前記通常電力モードへの切替指示を行う切替信号を前記電源に出力した後、前記予め設定された遅延時間だけ遅らせて前記負荷通電遮断用素子へ通電された際の前記電流検知手段の検知電流に応じて、次回以降の前記待機電力モードから前記通常電力モードへの切替時の前記遅延時間が、初期値よりも短い遅延時間に自動調整される構成であってもよい。
【００２２】
これにより、電力制御装置を備えた使用機器において、電源の２次側負荷が大きい機器あるいは小さい機器と異なっていても、初回の試運転時から、通電される負荷電流によって電源の出力電圧が低下して、電源から供給されているＣＰＵの電圧が低下してＣＰＵがリセットされることがなく、安定して動作させることができる。そして、２回目以降の待機電力モードから前記通常電力モードへの切替時の遅延時間は、その機器に適した遅延時間に短縮され安定して動作させることができる。
【００２３】
第３の発明は、特に、第２の発明の遅延時間の自動調整は、前記負荷通電遮断用素子へ通電された直後の突入電流が経過した後の前記電流検知手段の検知電流によって行う構成であってもよい。
【００２４】
これにより、遅延時間の自動調整を行うための電流検知手段の検知電流は、一瞬発生する突入電流に影響されず精度良く電流検知でき、適確な遅延時間の自動調整をすることができる。
【００２５】
第４の発明は、特に、第１〜第３のいずれか１つの発明のＣＰＵは、ＣＰＵリセットに至らない上限値が設定されており、前記電流検知手段の検知電流が前記上限値に達すると前記負荷通電遮断用素子への通電を一時遮断する構成であってもよい。
【００２６】
これにより、たとえ電源の２次側負荷に流れる負荷電流が大きくなる事態が発生しても、通電される負荷電流によって、電源の出力電圧が低下して、電源から供給されているＣＰＵの電圧が低下してＣＰＵがリセットされることがなく、安定して動作させることができる。
【００２７】
第５の発明は、特に、第１〜第４のいずれか１つの発明の電力制御装置を備えた機器は、通電される負荷電流によって、待機電力モードから通常電力モードへの切替時に負荷通電遮断用素子へ通電する遅延時間が自動調整されることにより、電源の出力電圧が低下して、電源から供給されているＣＰＵの電圧が低下してＣＰＵリセットに至ることがなく、安定して動作させることができる。
【００２８】
以下、本発明の実施の形態における電力制御装置およびそれを備えた機器について、図面を参照しながら説明する。なお、この実施の形態によって本発明が限定されるものではない。
【００２９】
（実施の形態）
以下に、本実施の形態の電力制御装置およびそれを備えた機器について、トイレ装置などの衛生洗浄装置を例に、図を用いて説明する。
【００３０】
図１は、本発明の実施の形態における電力制御装置およびそれを備えた機器である衛生洗浄装置の外観を示す斜視図である。
【００３１】
図１に示すように、本実施の形態の衛生洗浄装置１００は、少なくとも本体２００と、便蓋２１０と、便座２２０と、リモートコントローラ４００などから構成される。そして、本体２００、便蓋２１０、便座２２０は、一体で構成され、便器１１０の上面に設置される。
【００３２】
なお、図１に示す衛生洗浄装置１００においては、本体２００の設置側を後方、便座２２０の設置側を前方とし、前方に向かって右側を右側、前方に向かって左側を左側として各構成要素の配置を説明する。
【００３３】
本体２００は、便蓋２１０および便座２２０が、便座便蓋回動機構２１５を介して開閉可能に取り付けられている。便座便蓋回動機構２１５は、例えば直流モータと複数のギアなどで構成され、便蓋２１０と便座２２０を個別または同時に開閉する。そして、便蓋２１０を開放した場合、図１に示すように、便蓋２１０は、衛生洗浄装置１００の最後部に位置するように起立する。一方、便蓋２１０を閉成すると便座２２０の上面を隠蔽する。
【００３４】
また、便座２２０は便座ヒータ２２１を内蔵し、便座ヒータ２２１は便座２２０の着座面が快適な温度になるように、例えば４０度程度に加熱する。
【００３５】
また、本体２００の内部には、洗浄水供給機構（図示せず）、熱交換器（図示せず）、洗浄ノズル２３１などで構成された人体の局部を洗浄する洗浄機構２３０と、洗浄後の局部を乾燥する乾燥装置（図示せず）と、本体制御部２４０などが内蔵されている。洗浄ノズル２３１は、本体２００の下部中央に設置されている。
【００３６】
洗浄機構２３０は、本体２００の内部に設置された洗浄水供給機構（図示せず）と、洗浄水を加熱する熱交換器（図示せず）と、洗浄水の流量を調整する流量調節機構（図示せず）などから構成され、洗浄ノズル２３１に接続されている。そして、水道配管から供給される洗浄水を熱交換器で加熱し、加熱した温水を洗浄ノズル２３１に供給し、洗浄ノズル２３１から使用者の局部に向けて噴出する。これにより、使用者の局部を、温水で洗浄する。
【００３７】
洗浄ノズル２３１は、お尻を洗浄するお尻洗浄ノズル部と、女性の局部を洗浄するビデノズル部を備えている。さらに、洗浄ノズル２３１は、本体２００内に収容した収納位置と本体２００から突出して洗浄動作を行う洗浄位置との間を進退移動するノズル駆動機構（図示せず）を備えている。
【００３８】
また、本体２００の前面コーナ部には、例えば反射型の赤外線センサなどからなる着座検知センサ２５０が設置されている。そして、着座検知センサ２５０が、赤外線を発光し、人体で反射された赤外線を受光することにより、便座２２０上に使用者が存在することを検出する。
【００３９】
また、本体２００の右側には、本体２００と一体に突出して形成された袖部２６０が設けられている。袖部２６０の上面には、本体操作部２６１と、リモートコントローラ４００から送信される赤外線信号を受信する本体受信部である赤外線受信部２６２が配置されている。本体操作部２６１には、電源スイッチ２６１ａと、使用頻度の高いお尻洗浄機能を操作するお尻洗浄スイッチ２６１ｂが配置されている。
【００４０】
また、図１に示すように、リモートコントローラ４００は、本体２００とは別体で構成されて、便座２２０上に着座した使用者が操作しやすい位置、例えばトイレルームの壁面などの場所に取り付けられる。リモートコントローラ４００には、トイレルームに入出した使用者を検知する人体検知センサ３００と、衛生洗浄装置１００の各機能の操作と設定
を行う複数のスイッチ機能と、表示機能などが配置されている。
【００４１】
以下に、本実施の形態の衛生洗浄装置１００の動作について、簡単に説明する。
【００４２】
まず、トイレルームに使用者が存在しない場合、衛生洗浄装置１００は、便座ヒータ２２１への通電を停止、もしくは２０℃程度の待機温度になるように通電して便座２２０を保温している。
【００４３】
このとき、トイレルームに使用者が入室すると、人体検知センサ３００からの人体検知信号を受け、便座ヒータ２２１に通電を行う。なお、便座ヒータは、８００Ｗ程度の非常に高出力のヒータから構成されている。そこで、使用者がトイレルームに入室してから便座２２０に着座するまでの、例えば６秒から１０秒程度の間に、便座２２０の着座面を、例えば４０℃程度の設定温度まで昇温する。
【００４４】
そして、便座２２０が設定温度に達した後、便座ヒータ２２１への通電を５０Ｗ程度の低ワットに下げて設定温度を保つ。
【００４５】
その後、使用者がトイレルーム内から出ると、便座ヒータ２２１への通電を停止、もしくは２０℃程度の待機温度となるように通電する。これにより、トイレルームに使用者がいないときの、衛生洗浄装置１００の消費電力を、大幅に削減している。
【００４６】
なお、本実施の形態の衛生洗浄装置１００において、上記で説明した洗浄ノズル２３１などからなる洗浄機構２３０と乾燥装置は必須の構成要素ではないので、これらの構成要素を備えていない衛生洗浄装置１００の構成でもよい。
【００４７】
（衛生洗浄装置の動作および作用）
以下に、本実施の形態の衛生洗浄装置の動作および作用について、図１を参照しながら、図２を用いて説明する。
【００４８】
図２は、同実施の形態における衛生洗浄装置の制御系のブロック図である。
【００４９】
図１と図２に示すように、まず、リモートコントローラ４００の人体検知センサ３００が人体を検出すると、人体検知信号をリモートコントローラ４００の赤外線送信部４３６から送信する。送信された人体検知信号は、本体２００の本体受信部（赤外線受信部）２６２で受信された後、本体制御部２４０に送信（伝達）される。伝達された人体検知信号に基づいて、本体制御部２４０は、便座便蓋回動機構２１５を駆動して便蓋２１０を開放する。そして、便座２２０の着座面が１０秒以内に４０℃程度になるように、便座２２０の便座ヒータ２２１への通電を開始して昇温する。
【００５０】
つぎに、使用者が、便座２２０に着座すると、本体２００の着座検知センサ２５０により使用者の着座を検出する。そして、本体制御部２４０が着座信号を受信すると、本体２００のお尻洗浄スイッチ２６１ｂおよびリモートコントローラ４００の洗浄機能の使用者の操作が可能となる。
【００５１】
つぎに、使用者が用便を終了すると、使用者が設定する、お尻洗浄スイッチ２６１ｂおよびリモートコントローラ４００の洗浄条件に基づいて、洗浄機構２３０により局部の洗浄を行う。そして、洗浄が終了すると、使用者は便座２２０から立ち上がってトイレルームから退出する。これにより、リモートコントローラ４００の人体検知センサ３００からの人体検知信号の送信を停止する。
【００５２】
つぎに、人体検知が終了してから所定時間経過後（例えば、５分後）、本体制御部２４０は、便座便蓋回動機構２１５を駆動して便蓋２１０を自動的に閉塞する。そして、便座ヒータ２２１への通電を停止する。その後、再び使用者がトイレルームに入室して、トイレ装置を使用するまで、本体制御部２４０は待機電力を大幅に低下する待機電力モードに移行する。
【００５３】
（リモートコントローラの構成）
以下に、本実施の形態の衛生洗浄装置のリモートコントローラの構成について、図２を参照しながら、図３から図５を用いて説明する。
【００５４】
図３は、同実施の形態におけるリモートコントローラの外観を示す斜視図である。図４は、同実施の形態におけるリモートコントローラのフロントパネルを開放した状態を示す正面図である。図５は、図３に示す５−５線断面図である。
【００５５】
図３に示すように、リモートコントローラ４００は、全体形状が薄い直方体で形成されている。そして、リモートコントローラ４００は、例えば樹脂材料で成形された箱状のリモコン本体４０１と、リモコン本体４０１の前面を覆うフロントパネル４０２で構成されている。フロントパネル４０２は、リモコン本体４０１の前面下端部で開閉自在に枢支されている。具体的には、リモコン本体４０１の上端近傍の左右に設けた磁石４０１ａと、フロントパネルの磁石４０１ａに対応する位置に設けたステンレス製の受板４０２ｃにより、磁力を介して、フロントパネル４０２の閉塞状態を維持している。
【００５６】
なお、通常、リモートコントローラ４００は、図３に示すようにフロントパネル４０２を閉塞した状態で使用される。しかし、リモートコントローラ４００の設定および、通常あまり使用しない操作を行う場合は、図４に示すようにフロントパネル４０２を開放して使用される。
【００５７】
図２と図４に示すように、リモートコントローラ４００を開放したリモコン本体４０１の前面の上部には、衛生洗浄装置１００の使用時に多く使用する操作スイッチ４１０および人体検知センサ３００が配置されている。一方、リモコン本体４０１の前面の下部には、衛生洗浄装置１００の機能の設定を行う設定スイッチ４２０と、通常あまり使用しない操作スイッチ４１０が配置されている。また、リモコン本体４０１の前面の中央部には、非接触による操作で使用する２個の照度センサ４４０と非接触による操作と同様な操作が可能な操作スイッチ４１０が配設されている。なお、上記操作スイッチ４１０や設定スイッチ４２０は、スイッチの操作部に直接接触して操作する接触スイッチであるタクトスイッチにより構成されている。
【００５８】
また、図３に示すように、リモートコントローラ４００のフロントパネル４０２を閉塞した状態で、通常、使用する操作スイッチ４１０として、フロントパネル４０２には、ビデ洗浄スイッチ４１１と、お尻洗浄スイッチ４１２と、乾燥スイッチ４１３と、停止スイッチ４１４と、便座開スイッチ４１５と、便座閉スイッチ４１６が配置されている。ビデ洗浄スイッチ４１１は、女性の局部洗浄を開始するスイッチである。お尻洗浄スイッチ４１２は、お尻の洗浄を開始するスイッチである。乾燥スイッチ４１３は、洗浄後の臀部の乾燥を開始するスイッチである。停止スイッチ４１４は、ビデ洗浄スイッチ４１１とお尻洗浄スイッチ４１２と乾燥スイッチ４１３で開始した動作を停止させるスイッチである。便座開スイッチ４１５は、便座２２０を起立させるスイッチである。便座閉スイッチ４１６は、便座２２０を倒置するスイッチである。なお、便座開スイッチ４１５と便座閉スイッチ４１６は同一垂線上に、所定の間隔をあけて配設されている。
【００５９】
また、図４に示すように、フロントパネル４０２を開放した状態でのみ使用可能な操作
スイッチ４１０として、リモコン本体４０１には、例えばリズムスイッチ４１７と、ワイドスイッチ４１８、ムーブスイッチ４１９などが配置されている。リズムスイッチ４１７は、お尻洗浄の洗浄水を強弱に変化させるスイッチである。ワイドスイッチ４１８は、お尻洗浄時の洗浄水の噴出範囲を拡大、縮小するスイッチである。ムーブスイッチ４１９は、洗浄中の洗浄位置を前後に繰り返して移動させるスイッチである。
【００６０】
さらに、図４に示すように、リモコン本体４０１には、強度表示灯４３１と、温水温度表示灯４３２と、便座温度表示灯４３３と、電池表示灯４３４が配設されている。強度表示灯４３１は、強度スイッチ４２１の近傍に設けられ、洗浄水の強弱のレベルを表示する。温水温度表示灯４３２は、温水温度スイッチ４２３の近傍に設けられ、設定された温水温度のレベルを表示する。便座温度表示灯４３３は、便座温度スイッチ４２４の近傍に設けられ、設定された便座温度のレベルを表示する。電池表示灯４３４は、電池の消耗状態を表示する。
【００６１】
また、図４に示すように、リモコン本体４０１には、第一照度センサ４４１と、第二照度センサ４４２と、センサ検知表示灯４３５が配設されている。第一照度センサ４４１は、便座開スイッチ４１５の下方に近接して設けられている。第二照度センサ４４２は、便座閉スイッチ４１６の下方に近接して設けられている。
【００６２】
そして、センサ検知表示灯４３５は、便座開スイッチ４１５と便座閉スイッチ４１６の略中間（中間を含む）の位置に配設されている。なお、センサ検知表示灯４３５は、トイレルームが暗すぎて、第一照度センサ４４１および第二照度センサ４４２が照度の変化を十分に検知できない場合に、点滅表示する。一方、センサ検知表示灯４３５は、ジェスチャ操作を検出したときに、点灯表示をする。なお、ジェスチャ操作とは、使用者が、例えば第一照度センサ４４１および第二照度センサ４４２からなる２個の照度センサ４４０に亘って近接して手を動かすジェスチャにより、所定の操作を行うことを意味する。
【００６３】
つまり、非接触スイッチから構成される第一照度センサ４４１と第二照度センサ４４２に近接して、使用者が手を移動させるジェスチャを行う。これにより、照度の変化を検出して、移動の方向を判定し、移動方向に対応して、例えば便座２２０を起倒するジェスチャ操作が行われる。具体的には、例えば使用者が下から上に手を移動させることにより、第二照度センサ４４２から第一照度センサ４４１の順に照度変化を検出した場合、便座２２０を起立させる。一方、例えば使用者が上から下に手を移動させることにより、第一照度センサ４４１から第二照度センサ４４２の順に照度変化を検出した場合、便座２２０を倒置させる。これにより、照度不足の場合でも、ジェスチャ操作を介して、非接触で便座２２０の開閉操作ができる。
【００６４】
また、図３と図４に示すように、リモコン本体４０１の上面コーナ部には、例えば発光素子として赤外線発光ダイオードを備える赤外線送信部４３６が配置されている。赤外線送信部４３６は、リモートコントローラ４００の操作情報および設定情報を本体２００の袖部２６０に設置された赤外線受信部２６２に送信する。
【００６５】
また、図２および図５に示すように、リモートコントローラ４００のフロントパネル４０２は、略平板状（平板状を含む）の樹脂製のパネル枠４０２ａと、裏蓋４０２ｂと、複数の操作ボタン４０３とから構成されている。操作ボタン４０３は、リモコン本体４０１に設置した操作スイッチ４１０をフロントパネル４０２の表面から操作するボタンである。つまり、操作ボタン４０３は、フロントパネル４０２を閉塞した状態で、ビデ洗浄スイッチ４１１と、お尻洗浄スイッチ４１２と、乾燥スイッチ４１３と、停止スイッチ４１４と、便座開スイッチ４１５と、便座閉スイッチ４１６を操作するために、それらの位置に対応して設置されている。
【００６６】
また、リモートコントローラ４００のフロントパネル４０２には、第一照度センサ４４１と第二照度センサ４４２と強度表示灯４３１と電池表示灯４３４に対応する部分に透明な樹脂材料で形成された透過部４０４が配設されている。これにより、フロントパネル４０２の表面から強度表示灯４３１と電池表示灯４３４を視認できる。さらに、透過部４０４を介して、第一照度センサ４４１と第二照度センサ４４２は照度変化を検出できるため、フロントパネル４０２を閉塞した状態でジェスチャ操作が可能となる。
【００６７】
なお、本実施の形態では、ジェスチャ操作により、第一照度センサ４４１と第二照度センサ４４２の照度変化を検知して便蓋２１０や便座２２０の起倒動作を実施する。そのため、使用者が設定条件を変更する場合に、フロントパネル４０２の開閉動作の途中に発生する陰影による照度変化をジェスチャ操作として誤検知する可能性がある。そこで、図２に示すように、フロントパネル４０２の開閉状態を検知する開閉検知センサ４３７を設けている。これにより、フロントパネル４０２の開閉動作中は第一照度センサ４４１と第二照度センサ４４２の照度変化を検知しても便座２２０の起倒動作を実施しないようにしている。
【００６８】
（リモートコントローラの制御系の構成）
以下に、本実施の形態の衛生洗浄装置のリモートコントローラの制御系の構成について、図２を参照しながら説明する。
【００６９】
図２に示すように、リモートコントローラ４００は、情報入力部として人体検知センサ３００と、開閉検知センサ４３７と、操作スイッチ４１０と、設定スイッチ４２０と、照度センサ４４０を備えている。また、出力部として、本体２００に制御情報を赤外線で送信する赤外線送信部４３６と、制御情報を表示する表示灯４３０を備えている。さらに、リモートコントローラ４００の駆動源として電池４５０を備えている。
【００７０】
また、リモートコントローラ４００のリモコン制御部５００は、図示しないが、さらにセンサ検出部と、スイッチ操作検出部と、ジェスチャ検出部とを備えている。センサ検出部は、センサの検知信号を検出する。スイッチ操作検出部は、操作スイッチ４１０と設定スイッチ４２０のスイッチ操作を検出する。ジェスチャ検出部は、第一照度センサ４４１と第二照度センサ４４２で構成する照度センサ４４０からのジェスチャ操作信号をデジタル信号化して検出する。これにより、各種の操作情報を処理する。
【００７１】
なお、上述したように、ジェスチャ検出部は、照度センサ４４０の検出電圧をＡ／Ｄコンバータを介してデジタル信号化してデジタル処理を行う。しかし、ジェスチャ検出部は、消費電力が大きくリモートコントローラ４００の電源である電池４５０の消耗に大きく影響する。そこで、本実施の形態においては、人体検知センサ３００が人体を検知している間のみ、ジェスチャ検出部を駆動する構成としている。これにより、人体を検出していない間は、ジェスチャ検出部を休止させ、電池４５０の消耗を抑制している。
【００７２】
また、リモートコントローラ４００は、ジェスチャ操作の検出を行うために、照度センサ４４０を駆動するセンサ駆動部と、照度センサ４４０の感度を調整する感度調整部と、をさらに備えている。感度調整部は、リモートコントローラ４００が設置されている場所の明るさの変化に応じて、ジェスチャ操作を検出する基準となる基準電圧と、ジェスチャ操作を検出する検出閾値を調整する。このとき、リモートコントローラ４００の設置場所が暗すぎて基準電圧の調整範囲を超える場合、図３や図４に示すセンサ検知表示灯４３５を点滅表示して、使用者にジェスチャ操作ができないことを報知する。
【００７３】
また、リモートコントローラ４００のリモコン制御部５００は、図示しない電池４５０
の残量を検出する電池検査部と、制御情報を表示する表示灯４３０を駆動する表示灯駆動部と、計時情報を提供するタイマを備えている。さらに、リモコン制御部５００の情報処理機能として、主にマイコンで構成される情報処理部を備えている。
【００７４】
以上により、本実施の形態の衛生洗浄装置のリモートコントローラの制御系が構成されている。
【００７５】
つまり、図２に示すように、上記構成を有するリモートコントローラ４００は、操作部である操作スイッチ４１０と、設定スイッチ４２０と、第一照度センサ４４１と、第二照度センサ４４２から各種の操作情報が入力される。そして、入力された操作情報に基づいて、どのような操作がされたかを、リモコン制御部５００の情報処理部で判定し、表示灯駆動部を介して所定の表示灯４３０を点灯させ、使用者に認識させる。
【００７６】
さらに、リモートコントローラ４００のリモコン制御部５００は、赤外線送信部４３６から本体２００の赤外線受信部２６２に制御信号を送信する。これにより、本体制御部２４０は、送信された制御信号に基づいて、衛生洗浄装置１００の各種機能の制御を行う。
【００７７】
（電力制御装置の構成）
以下に、本実施の形態の衛生洗浄装置の電力制御装置の構成について、図１から図５を参照しながら、図６を用いて説明する。
【００７８】
図６は、同実施の形態における電力制御装置を例示するブロック図である。
【００７９】
図６に示すように、本実施の形態の電力制御装置は、少なくともＡ電源１０４と、Ｂ電源１０９とから構成されている。Ａ電源１０４は、Ａ電源入力部１０２と、Ａ電源制御素子を構成する、例えばＡ電源制御ＩＣ２５を有するＡ電源出力部１０３とから構成されている。そして、Ａ電源１０４は、衛生洗浄装置１００の機能部である洗浄機構２３０や便座ヒータ２２１および熱交換器ヒータ、脱臭ファン、乾燥ファンなどの、本体制御部２４０によって制御される出力側負荷１０５に電力を供給する。
【００８０】
一方、Ｂ電源１０９は、Ｂ電源入力部１０６と、Ｂ電源出力部１０７と、Ｂ電源モード切換制御部１０８とから構成されている。そして、Ｂ電源１０９は、制御部を構成する、例えばＣＰＵ２２と、２次側負荷２３に電力を供給する。ＣＰＵ２２は、使用検知手段１１１からの信号に基づいて、待機電力モードと通常電力モードの切換指示を出力する。なお、２次側負荷２３は、便座温度を検知する便座サーミスタや、熱交換器への入水温度を検知する入水サーミスタや、熱交換器からの出湯温度を検知する出湯サーミスタおよび便座２２０や熱交換器の温度過昇防止回路などである。さらに、ＣＰＵ２２は、リレー２６を介して、商用電源とＡ電源１０４との接続および遮断を制御する。
【００８１】
なお、上述の（衛生洗浄装置の動作および作用）で説明したリモートコントローラ４００および本体受信部（赤外線受信部）２６２が、図６に示す使用検知手段１１１に相当し、使用検知手段１１１からの使用検知信号がＣＰＵ２２に送信される。
【００８２】
また、使用検知手段１１１としては、使用者がリモートコントローラ４００の操作スイッチ４１０を操作して、リモートコントローラ４００から本体受信部（赤外線受信部）２６２に送信する構成も含まれる。
【００８３】
さらに、使用検知手段１１１としては、使用者が手動で便蓋２１０や便座２２０を開いたときも、機器が使用される信号として便座便蓋回動機構２１５からの信号をＣＰＵ２２へ送信する構成も含まれる。
【００８４】
さらにまた、本体操作部２６１のお尻洗浄スイッチ２６１ｂが操作された場合のように、本体操作部２６１から機器が使用される信号としてＣＰＵ２２へ送信される構成も使用検知手段１１１に含まれる。
【００８５】
また、図６に示すように、Ｂ電源１０９は、Ｂ電源入力部１０６に設けた１次巻線１１２と、Ｂ電源出力部１０７に設けた２次巻線１１３と、Ｂ電源制御素子を構成する、例えばＢ電源制御ＩＣ２１を備えたＢ電源モード切換制御部１０８に設けた補助２次巻線１１４から構成されるトランス１１５を備えている。
【００８６】
以上により、本実施の形態の衛生洗浄装置１００の電力制御装置が構成されている。
【００８７】
このとき、使用検知手段１１１からの使用検知信号（機器を使用されていないことを示す信号）がＣＰＵ２２に送信されると、ＣＰＵ２２は待機電力モードへの切換指示によりＡ電源１０４への商用電力の供給を遮断する。同時に、ＣＰＵ２２自体が低速モードである待機電力モードに移行する。さらに、トランス１１５の２次巻線１１３の電流低下による補助２次巻線１１４の電流低下により、Ｂ電源モード切換制御部１０８のＢ電源制御ＩＣ２１がＢ電源１０９の間欠駆動停止を繰り返す待機電力モードとなる。これにより、待機電力を限りなくゼロに近づけることができる。その結果、待機電力を大幅に低減できる電力制御装置およびそれを備えた機器を実現できる。
【００８８】
（電力制御装置の動作および作用）
以下に、本実施の形態の電力制御装置の動作および作用について、図６を参照しながら説明する。
【００８９】
まず、上述の（衛生洗浄装置の動作および作用）で待機電力モードを説明したように、使用検知手段１１１からＣＰＵ２２へ送信される信号が待機電力モードに移行させる条件になると、ＣＰＵ２２は、図６に示す負荷通電遮断用素子２４により、２次側負荷２３を遮断する。同時に、ＣＰＵ２２自らも高速モードから低速モードに移行する。これにより、トランス１１５の２次巻線１１３側の電力負荷がさらに小さくなる。
【００９０】
つまり、使用検知手段１１１からの機器を使用されていない使用検知信号をＣＰＵ２２が受信すると、ＣＰＵ２２は負荷通電遮断用素子２４により、２次側負荷２３を遮断する。同時に、ＣＰＵ２２自らも高速モードから低速モードに移行する。これにより、図６に示すように、トランス１１５の２次巻線１１３に流れる電流がＩａからＩｂに減少し、待機電力が減少する。さらに、２次側負荷２３に応じて、トランス１１５の補助２次巻線１１４に流れる電流もＩｃからＩｄに変化する。
【００９１】
例えば、図６において、Ｂ電源制御ＩＣ２１のＦＢ端子にかかる電圧ＶＦＢの、通常動作時（トランス１１５の２次巻線１１３に流れる電流がＩａの場合）における電圧ＶＦＢ１は、ＶＦＢ１＝（Ｒ２＋Ｒ３）×Ｉｃ／（Ｒ１＋Ｒ２＋Ｒ３）となる。
【００９２】
一方、ＣＰＵ２２が２次側負荷を遮断すると、トランス１１５の２次巻線１１３に流れる電流がＩａからＩｂに減少する待機電力モード動作に移行する。このとき、待機電力モード動作時のＢ電源制御ＩＣ２１のＦＢ端子にかかる電圧ＶＦＢ２は、ＶＦＢ２＝（Ｒ２＋Ｒ３）×Ｉｄ／（Ｒ１＋Ｒ２＋Ｒ３）となる。
【００９３】
そして、Ｂ電源制御ＩＣ２１のＦＢ端子にかかる電圧ＶＦＢ２が、所定の電圧Ｖｒｅｆよりも低下すると、Ｂ電源制御ＩＣ２１自体が待機電力モードとなるように作用する。
【００９４】
すなわち、ＣＰＵ２２が２次側負荷２３を遮断し、ＣＰＵ２２自体を低速モードとし、かつＢ電源モード切換制御部１０８によりＢ電源制御ＩＣ２１自体が待機電力モードになると、Ｂ電源制御ＩＣ２１が間欠駆動停止を繰り返す待機電力モードに移行する。なお、本実施の形態では、Ｂ電源制御ＩＣ２１は、待機電力モード時において、例えば１ｍｓ駆動、２４ｍｓ停止の間欠駆動停止の動作を繰り返す状態になる。
【００９５】
なお、Ｂ電源制御ＩＣ２１のＦＢ端子にかかる電圧ＶＦＢ２が、所定の電圧Ｖｒｅｆよりも低下すると、Ｂ電源制御ＩＣ２１自体が待機電力モードとなるように、補助２次巻線１１４の出力電流Ｉｄ、抵抗Ｒ１、Ｒ２、Ｒ３を適切に設定してあることはいうまでもない。
【００９６】
以上で説明したように、本実施の形態の電力制御装置は、使用検知手段１１１からの信号により通常電力モードから待機電力モードへ移行させる条件になると、まず、ＣＰＵ２２はＡ電源１０４への商用電力供給を遮断するとともに、Ｂ電源１０９の２次側負荷２３を遮断する。
【００９７】
同時に、ＣＰＵ２２自体が低速モードである待機電力モードに移行する。そして、トランス１１５の２次巻線１１３の電流低下によるトランス１１５の補助２次巻線１１４の電流低下により、Ｂ電源モード切換制御部１０８のＢ電源制御ＩＣ２１が、Ｂ電源の間欠駆動停止を繰り返す待機電力モードとなる。
【００９８】
これにより、Ａ電源１０４への商用電力の供給が遮断されて、待機電力モード時において、Ａ電源１０４およびＡ電源の出力側負荷１０５での電力消費がなくなる。
【００９９】
また、Ｂ電源１０９の２次側負荷２３が遮断され、Ｂ電源１０９が間欠駆動停止を繰り返す待機電力モードになることにより、機器（衛生洗浄装置）を使用していないときの待機電力は、約０．００４ワット程度と限りなくゼロに近い値まで低減する。その結果、待機電力を大幅に低減できる電力制御装置およびそれを備えた機器（衛生洗浄装置）を実現できる。
【０１００】
なお、本実施の形態において、仮にＢ電源モード切換制御部１０８がない構成の場合、電力制御装置は、以下のように動作する。
【０１０１】
まず、電力制御装置は、使用検知手段１１１からの信号により通常電力モードから待機電力モードへ移行させる条件になると、ＣＰＵ２２はＡ電源１０４への商用電力供給を遮断する。同時に、Ｂ電源１０９の２次側負荷２３を遮断する。そして、ＣＰＵ２２自体が低速モードである待機電力モードに移行する。これにより、待機電力を約０．７ワット程度に小さくできる。
【０１０２】
しかし、Ｂ電源モード切換制御部１０８がない構成の場合、本実施の形態の電力制御装置の待機電力に対して、約１７５倍の桁違いの待機電力となる。つまり、本実施の形態の電力制御装置のように、Ｂ電源モード切換制御部１０８を備えることにより、待機電力を大幅に低減する効果が大きいことがわかる。
【０１０３】
（待機電力モードから通常電力モードへの切替制御）
以下に、本実施の形態の衛生洗浄装置の待機電力モードから通常電力モードへの切替制御について説明する。
【０１０４】
まず、図６で示した使用検知手段１１１の、特にリモートコントローラ４００から本体受信部である赤外線受信部２６２にリモコン信号が送信される。
【０１０５】
本実施の形態の衛生洗浄装置は、上述したように、トイレルームに出入りする人を検知する人体検知センサ３００を搭載したリモートコントローラ４００を備えている。そして、人を検知、もしくはリモートコントローラ４００に配置されている操作スイッチ４１０を操作されると、赤外線送信部４３６から赤外線信号が送信される。送信された赤外線信号は、本体２００の本体受信部（赤外線受信部）で受信され、さらに受信された信号が本体２００内のＣＰＵ２２に入力される。
【０１０６】
このとき、電力制御装置が、待機電力を低減する待機電力モードになっている場合、人体検知センサ３００が、人を検知、もしくは人によってリモートコントローラ４００の操作スイッチ４１０が操作されたことを検出したとき、電力制御装置を待機電力モードから通常電力モードに切り替える。
【０１０７】
以下に、電力制御装置を待機電力モードから通常電力モードに切り替える動作について、図６のブロック図の要部を見やすくした図７のブロック図を用いて説明する。
【０１０８】
図７に示すように、ＣＰＵ２２から、Ｂ電源１０９に待機電力モードから通常電力モードに切り替える信号が入力されると、Ｂ電源１０９は一旦、Ｂ電源内の電源制御ＩＣ２１によってＢ電源１０９は、間欠駆動から連続駆動に切り替える。
【０１０９】
Ｂ電源１０９が待機電力モードから通常電力モードに切り替わる際、ＣＰＵ２２からＢ電源１０９に、待機電力モードから通常電力モードに切り替える信号が入力されると同時に、負荷通電遮断用素子２４が通電されると、コンデンサ７０１の電力を早く消費するため、Ｂ電源１０９の出力が低下して、いわゆるＣＰＵリセットなどによりＣＰＵ２２が正常に動作できなくなる。
【０１１０】
本実施の形態においては、図７、図８に示したように、機器の使用を検知する使用検知手段１１１と、使用検知手段１１１からの信号により待機電力モードと通常電力モードの切替指示を出力するＣＰＵ２２と、少なくともＣＰＵ２２に電力を供給するＢ電源１０９とＢ電源１０９からの電力を蓄えるコンデンサ７０１と、Ｂ電源１０９の２次側負荷２３に流れる電流を検知する電流検知手段２８と、を備え、ＣＰＵ２２は、待機電力モードへの切換指示により、Ｂ電源１０９の２次側負荷２３への通電を負荷通電遮断用素子２４により遮断するとともに、ＣＰＵ２２自体を待機電力モードに移行し、電源制御ＩＣ２１がＢ電源１０９の間欠駆動停止を繰り返す制御を行い、使用検知手段１１１からの信号によりＣＰＵ２２が、待機電力モードから通常電力モードへの切替指示を行う切替信号をＢ電源１０９に出力した後、予め設定された遅延時間だけ遅らせて負荷通電遮断用素子２４へ通電するとともに、電流検知手段２８の検知電流によって遅延時間が自動調整される構成である。
【０１１１】
これによって、使用検知手段１１１からの信号によりＣＰＵ２２が通常電力モードから待機電力モードへ移行させる条件になると、ＣＰＵ２２は、待機電力モードへの切換指示により、Ｂ電源１０９の２次側負荷２３への通電を負荷通電遮断用素子２４により遮断するとともに、ＣＰＵ２２自体を待機電力モードに移行し、電源制御ＩＣ２１が電源の間欠駆動停止を繰り返す制御を行い、待機電力を微小にできる。
【０１１２】
そして、使用検知手段１１１からの信号により、待機電力モードから通常電力モードに切り替わる際、ＣＰＵ２２が、待機電力モードから通常電力モードへの切替指示を行う切替信号を電源制御ＩＣ２１に出力した後、予め設定された遅延時間Ｔａ１（例えば１秒）だけ遅らせて負荷通電遮断用素子２４へ通電することによって、Ｂ電源１０９が間欠駆動停止を繰り返す状態から連続通電状態になった後に安定した状態になってから、２次側負
荷２３へ通電する動作が行われるため、通電される負荷電流によって、Ｂ電源１０９の出力電圧が低下して、Ｂ電源１０９から供給されているＣＰＵ２２の電圧が低下してＣＰＵ２２がリセットされることがなく、安定して動作させることができる。
【０１１３】
図８は、図７のブロック図における待機電力モードから通常電力モードに切り替わる動作を例示するタイミングチャート図である。待機電力モードから通常電力モードに切り替える際、ＣＰＵ２２からＢ電源１０９に切替信号が入力されると同時に、予め設定された遅延時間Ｔａ１後、負荷通電遮断用素子２４を通電させる。これは、コンデンサ７０１に電力が蓄えられていない状態で、２次側負荷２３に電流が流れて、Ｂ電源１０９の出力電圧が低下してしまうのを防ぐためである。
【０１１４】
図８、図９のように、遅延時間の初期値（図８のＴａ１）は、Ｂ電源１０９が間欠駆動停止を繰り返す状態から連続通電状態になった後に、コンデンサ７０１に電力が蓄えられて安定した状態になる長い遅延時間（図８のＴａ１）が設定されており、ＣＰＵ２２が、初回の待機電力モードから通常電力モードへの切替指示を行う切替信号を前記電源に出力した後、前記予め設定された遅延時間だけ遅らせて負荷通電遮断用素子２４へ通電された際の電流検知手段２８の検知電流に応じて、次回以降の待機電力モードから前記通常電力モードへの切替時の遅延時間（図９のＴａ２）が、初期値（図８のＴａ１）よりも短い遅延時間に自動調整される。
【０１１５】
これにより、本実施の形態の電力制御装置を備えた使用機器において、電源の２次側負荷が大きい機器あるいは小さい機器と異なっていても、初回の試運転時から、通電される負荷電流によって電源の出力電圧が低下して、電源から供給されているＣＰＵの電圧が低下してＣＰＵ２２がリセットされることがなく、安定して動作させることができる。そして、２回目以降の待機電力モードから通常電力モードへの切替時の遅延時間は、その機器に適した遅延時間Ｔａ２（例えば０．３秒）に短縮でき安定して動作させることができる。
【０１１６】
また、図８、図９のタイミングチャートに示すように、遅延時間の自動調整は、負荷通電遮断用素子２４へ通電された時点Ｔ２直後の突入電流が経過した後の時点Ｔ３以降の電流検知手段の検知電流によって行う構成にしてある。
【０１１７】
これにより、たとえば図８のＴａ１から図９のＴａ２のように遅延時間の自動調整を行うための電流検知手段２８の検知電流は、一瞬発生する突入電流に影響されず精度良く電流検知でき、適確な遅延時間の自動調整ができる。
【０１１８】
また、上記した図８、図９および特にこれから説明する図１０のタイミングチャートに示してあるように、ＣＰＵ２２は、ＣＰＵリセットに至らない上限値が設定されている。そして、図１０のように、電流検知手段２８の検知電流が上限値に達する（図１０のＴ５時点）と負荷通電遮断用素子２４への通電を一時遮断する構成にしてある。
【０１１９】
これにより、たとえ電源の２次側負荷に流れる負荷電流が大きくなる事態が発生しても、通電される負荷電流によって、電源の出力電圧が低下して、電源から供給されているＣＰＵの電圧が低下してＣＰＵ２２がリセットされることが防止される。このようにして、機器を安定して動作させることができる。
【０１２０】
ちなみに、図８、図９のようにＴ３時点からＢ電源１０９の出力電圧が定常状態に至るまでの時点Ｔ４まで、電流検知手段２８に流れる電流が、ＣＰＵリセットに至る電流以下に設定された前記の上限値を超えなければ、通常電力モードで継続される。
【０１２１】
また、図１０のようにＴ５時点で一時遮断された場合でも、Ｂ電源１０９の出力電圧が定常状態に至るＴ６時点で負荷通電遮断用素子２４への通電が再開され、この通電再開後に電流検知手段２８に流れる電流が上限値より小さければ、通常電力モードで継続される。
【０１２２】
この図１０のように、待機電力モードから通常電力モードに切り替わる動作の際、電流検知手段２８に流れる検知電流が上限値以上流れて一時遮断された場合は、次回の待機電力モードから通常電力モードに切り替わる動作の際は、遅延時間はＴａ３（例えば０．１秒）よりも長い遅延時間に自動調整され、機器を安定して動作させることができる。
【０１２３】
本電力制御装置を使用する機器によって、負荷が異なり、負荷電流が異なる場合がある。
【０１２４】
したがって、通電タイミングを遅らす遅延時間を一定にすると、負荷電流が大きい機種の場合には、遅延時間が不十分でＢ電源１０９の出力電圧が低下し、ＣＰＵリセットに至って機器を安定して動作できない。
【０１２５】
また、負荷電流が小さい機種の場合には、遅延時間が長いと待機電力モードから通常電力モードに切り替える時間が長くなる。そのため、使用検知手段１１１からの信号によりＣＰＵ２２が、待機電力モードから通常電力モードへの切替指示を行う切替信号をＢ電源１０９に出力した後、予め設定された遅延時間だけ遅らせて負荷通電遮断用素子２４へ通電するとともに、電流検知手段２８の検知電流によって遅延時間が自動調整される構成により、負荷電流に応じて負荷通電遮断用素子２４へ通電する遅延時間が自動調整され、待機電力モードから通常電力モードに適切に安定して切り替えることができる。
【０１２６】
このように、電源の２次側負荷の異なる機器に応じて待機電力モードから通常電力モードへの切替時に負荷通電遮断用素子２４へ通電する遅延時間が自動調整されることにより、使用機器において電源の２次側負荷が、大きい機器あるいは小さい機器と異なっていても、通電される負荷電流によって、電源の出力電圧が低下して、電源から供給されているＣＰＵの電圧が低下してＣＰＵがリセットされることがなく、安定して動作させることができる。
【産業上の利用可能性】
【０１２７】
本発明は、機器を使用していないときの待機電力の大幅な低減が要望される電力制御装置を備える、人体検知センサやリモートコントローラが搭載された機器などの技術分野に適用できる。
【符号の説明】
【０１２８】
２１  Ｂ電源制御ＩＣ
２２  ＣＰＵ
２３  ２次側負荷
２４  負荷通電遮断用素子
２５  Ａ電源制御ＩＣ
２６  リレー
２７  サブＣＰＵ
２８  電流検知手段
１００  衛生洗浄装置
１０２  Ａ電源入力部
１０３  Ａ電源出力部
１０４  Ａ電源
１０５  出力側負荷（機能部）
１０６  Ｂ電源入力部
１０７  Ｂ電源出力部
１０８  Ｂ電源モード切換制御部
１０９  Ｂ電源
１１０  便器
１１１  使用検知手段
１１２  １次巻線
１１３  ２次巻線
１１４  補助２次巻線
１１５  トランス
２００  本体
２１０  便蓋
２１５  便座便蓋回動機構
２２０  便座
２２１  便座ヒータ
２３０  洗浄機構
２３１  洗浄ノズル
２４０  本体制御部
２５０  着座検知センサ
２６０  袖部
２６１  本体操作部
２６１ａ  電源スイッチ
２６１ｂ  お尻洗浄スイッチ
２６２  本体受信部（赤外線受信部）
３００  人体検知センサ
４００  リモートコントローラ（操作リモコン）
４０１  リモコン本体
４０１ａ  磁石
４０２  フロントパネル（外郭）
４０２ｃ  受板
４０３  操作ボタン
４１０  操作スイッチ
４１１  ビデ洗浄スイッチ
４１２  お尻洗浄スイッチ
４１３  乾燥スイッチ
４１５  便座開スイッチ
４１６  便座閉スイッチ
４１７  リズムスイッチ
４１８  ワイドスイッチ
４１９  ムーブスイッチ
４２０  設定スイッチ
４２１  強度スイッチ
４２３  温水温度スイッチ
４２４  便座温度スイッチ
４３０  表示灯
４３１  強度表示灯
４３２  温水温度表示灯
４３３  便座温度表示灯
４３４  電池表示灯
４３５  センサ検知表示灯
４３６  赤外線送信部
４４０  照度センサ
４４１  第一照度センサ
４４２  第二照度センサ
４５０  電池
５００  リモコン制御部
７０１  コンデンサ
【図１】
0006596651.tif 000002
【図２】
0006596651.tif 000003
【図３】
0006596651.tif 000004
【図４】
0006596651.tif 000005
【図５】
0006596651.tif 000006
【図６】
0006596651.tif 000007
【図７】
0006596651.tif 000008
【図８】
0006596651.tif 000009
【図９】
0006596651.tif 000010
【図１０】
0006596651.tif 000011